(57)【特許請求の範囲】
【請求項１】
電子機器であって、
バッテリと、
負荷手段と、
給電装置または通信装置から無線で供給された電力をアンテナ手段を介して受け取る受電手段と、
前記負荷手段への電力供給を制御する電力制御手段であって、前記受電手段と接続された前記電力制御手段と、
前記バッテリの電力を用いて前記アンテナ手段を介して信号を発信することによって、前記給電装置または前記通信装置と無線通信を行う無線通信手段と、
前記アンテナ手段を介して受け取られた電力から前記無線通信手段を保護するための保護手段であって、前記アンテナ手段と前記無線通信手段との間に接続された前記保護手段と、
前記電子機器が前記バッテリの電力を用いて前記アンテナ手段を介して信号を発信する通信モードである場合、前記無線通信手段が前記給電装置または前記通信装置と前記アンテナ手段を介して無線通信を行うことができるようにするために、前記無線通信手段からの出力が、前記アンテナ手段に供給される状態となるように前記保護手段を制御する制御手段と、
前記無線通信手段から前記アンテナ手段への出力電圧が前記バッテリの電圧よりも大きいか否かを判断する判断手段と、
前記無線通信手段から前記アンテナ手段への出力電圧が前記バッテリの電圧よりも大きいと判断された場合、前記負荷手段への電力供給を制限する制限手段と
を有し、
前記無線通信手段から前記アンテナ手段への出力電圧が前記バッテリの電圧よりも大きいと判断された場合、前記制御手段は、前記負荷手段への電力供給が制限された後に、前記無線通信手段からの出力が前記アンテナ手段に供給される状態となるように前記保護手段を制御することを特徴とする電子機器。
【請求項２】
前記電子機器が前記アンテナ手段を介して信号を発信する通信モードである場合であって、前記アンテナ手段を介して受け取られた電力が前記無線通信手段に供給される状態である場合に、前記給電装置または前記通信装置との無線通信が終了した場合、前記制御手段は、前記アンテナ手段を介して受け取られた電力から前記無線通信手段が保護される状態となるように前記保護手段を制御することを特徴とする請求項１に記載の電子機器。
【請求項３】
前記無線通信手段は、前記アンテナ手段を介して前記給電装置または前記通信装置に送信されるデータをＡＳＫ変調方式または負荷変調方式を用いて変調する変調手段を有することを特徴とする請求項１または２に記載の電子機器。
【請求項４】
前記アンテナ手段を介して信号を発信する通信モードは、リーダライタモードまたは双方向通信モードであることを特徴とする請求項１から３のいずれか１項に記載の電子機器。
【請求項５】
電子機器であって、
バッテリと、
負荷手段と、
給電装置から無線で供給された電力を第１のアンテナ手段を介して受け取る受電手段と、
前記負荷手段への電力供給を制御する電力制御手段であって、前記受電手段と接続された前記電力制御手段と、
前記バッテリの電力を用いて第２のアンテナ手段を介して信号を発信することによって、前記給電装置または通信装置と無線通信を行う無線通信手段と、
前記第２のアンテナ手段を介して受け取られた電力から前記無線通信手段を保護するための保護手段であって、前記第２のアンテナ手段と前記無線通信手段との間に接続された前記保護手段と、
前記電子機器が前記バッテリの電力を用いて前記第２のアンテナ手段を介して信号を発信する通信モードである場合、前記無線通信手段が前記給電装置または前記通信装置と前記第２のアンテナ手段を介して無線通信を行うことができるようにするために、前記無線通信手段からの出力が、前記第２のアンテナ手段に供給される状態となるように前記保護手段を制御する制御手段と、
前記無線通信手段から前記第２のアンテナ手段への出力電圧が前記バッテリの電圧よりも大きいか否かを判断する判断手段と、
前記無線通信手段から前記第２のアンテナ手段への出力電圧が前記バッテリの電圧よりも大きいと判断された場合、前記負荷手段への前記バッテリからの電力供給を制限する制限手段とを有し、
前記無線通信手段から前記第２のアンテナ手段への出力電圧が前記バッテリの電圧よりも大きいと判断された場合、前記制御手段は、前記負荷手段への電力供給が制限された後に、前記無線通信手段からの出力が、前記第２のアンテナ手段に供給される状態となるように前記保護手段を制御することを特徴とする電子機器。
【請求項６】
前記電子機器が前記第２のアンテナ手段を介して信号を発信する通信モードである場合であって、前記第２のアンテナ手段を介して受け取られた電力が前記無線通信手段に供給される状態である場合に、前記給電装置または前記通信装置との無線通信が終了した場合、前記制御手段は、前記第２のアンテナ手段を介して受け取られた電力から前記無線通信手段が保護される状態となるように前記保護手段を制御することを特徴とする請求項５に記載の電子機器。
【請求項７】
前記無線通信手段は、前記第２のアンテナ手段を介して前記給電装置または前記通信装置に送信されるデータをＡＳＫ変調方式または負荷変調方式を用いて変調する変調手段を有することを特徴とする請求項５または６に記載の電子機器。
【請求項８】
前記第２のアンテナ手段を介して信号を発信する通信モードはリーダライタモードまたは双方向通信モードであることを特徴とする請求項５から７のいずれか１項に記載の電子機器。
【請求項９】
コンピュータを、請求項１乃至４のいずれか１項に記載の電子機器の各手段として機能させるための、コンピュータが読み取り可能なプログラム。
【請求項１０】
コンピュータを、請求項５乃至８のいずれか１項に記載の電子機器の各手段として機能させるための、コンピュータが読み取り可能なプログラム。
【発明の詳細な説明】
【技術分野】
【０００１】
本発明は、無線通信を行う電子機器等に関する。
【背景技術】
【０００２】
近年、コネクタで接続することなく無線により電力を供給する給電装置と、給電装置から電力供給を受ける電子機器とを含む充電システムが知られている。このような充電システムにおいて、リーダライタと無線通信を行うための非接触通信用コイルと、給電装置からの電力供給を受けるための受電用コイルとを有する電子機器が知られている（特許文献１）。
【先行技術文献】
【特許文献】
【０００３】
【特許文献１】特開２０１１−１２３７０８号公報
【発明の概要】
【発明が解決しようとする課題】
【０００４】
上述の電子機器は、給電装置から無線により電力が供給される場合、受電用コイルによって給電装置から受け取った電力を用いてバッテリの充電を行っていた。
【０００５】
しかし、電子機器は、給電装置から無線により電力が供給される場合、受電用コイルではなく非接触通信用コイルによって給電装置から電力供給を受けてしまう場合があった。非接触通信用コイルが給電装置から供給される電力を受電する場合、電子機器は、非接触通信用コイルを用いてリーダライタと適切な無線通信が行えなくなってしまうという問題があった。
【０００６】
そこで、本発明は、給電装置から無線で供給された電力を受電用コイルを介して受け取る場合に、非接触通信用コイルの後段にある非接触通信用回路が破損してしまうことを防ぎ、非接触通信用回路の破損によって適切な無線通信が行えなくなることを防ぐことができるようにすることを目的とする。
【課題を解決するための手段】
【０００７】
本発明に係る電子機器の一つは、電子機器であって、バッテリと、負荷手段と、給電装置または通信装置から無線で供給された電力をアンテナ手段を介して受け取る受電手段と、前記負荷手段への電力供給を制御する電力制御手段であって、前記受電手段と接続された前記電力制御手段と、前記バッテリの電力を用いて前記アンテナ手段を介して信号を発信することによって、前記給電装置または前記通信装置と無線通信を行う無線通信手段と、前記アンテナ手段を介して受け取られた電力から前記無線通信手段を保護するための保護手段であって、前記アンテナ手段と前記無線通信手段との間に接続された前記保護手段と、前記電子機器が前記バッテリの電力を用いて前記アンテナ手段を介して信号を発信する通信モードである場合、前記無線通信手段が前記給電装置または前記通信装置と前記アンテナ手段を介して無線通信を行うことができるようにするために、前記無線通信手段からの出力が、前記アンテナ手段に供給される状態となるように前記保護手段を制御する制御手段と、前記無線通信手段から前記アンテナ手段への出力電圧が前記バッテリの電圧よりも大きいか否かを判断する判断手段と、前記無線通信手段から前記アンテナ手段への出力電圧が前記バッテリの電圧よりも大きいと判断された場合、前記負荷手段への電力供給を制限する制限手段とを有し、前記無線通信手段から前記アンテナ手段への出力電圧が前記バッテリの電圧よりも大きいと判断された場合、前記制御手段は、前記負荷手段への電力供給が制限された後に、前記無線通信手段からの出力が前記アンテナ手段に供給される状態となるように前記保護手段を制御することを特徴とする。
【０００８】
本発明に係る電子機器の一つは、電子機器であって、バッテリと、負荷手段と、給電装置から無線で供給された電力を第１のアンテナ手段を介して受け取る受電手段と、前記負荷手段への電力供給を制御する電力制御手段であって、前記受電手段と接続された前記電力制御手段と、前記バッテリの電力を用いて第２のアンテナ手段を介して信号を発信することによって、前記給電装置または通信装置と無線通信を行う無線通信手段と、前記第２のアンテナ手段を介して受け取られた電力から前記無線通信手段を保護するための保護手段であって、前記第２のアンテナ手段と前記無線通信手段との間に接続された前記保護手段と、前記電子機器が前記バッテリの電力を用いて前記第２のアンテナ手段を介して信号を発信する通信モードである場合、前記無線通信手段が前記給電装置または前記通信装置と前記第２のアンテナ手段を介して無線通信を行うことができるようにするために、前記無線通信手段からの出力が、前記第２のアンテナ手段に供給される状態となるように前記保護手段を制御する制御手段と、前記無線通信手段から前記第２のアンテナ手段への出力電圧が前記バッテリの電圧よりも大きいか否かを判断する判断手段と、前記無線通信手段から前記第２のアンテナ手段への出力電圧が前記バッテリの電圧よりも大きいと判断された場合、前記負荷手段への前記バッテリからの電力供給を制限する制限手段とを有し、前記無線通信手段から前記第２のアンテナ手段への出力電圧が前記バッテリの電圧よりも大きいと判断された場合、前記制御手段は、前記負荷手段への電力供給が制限された後に、前記無線通信手段からの出力が、前記第２のアンテナ手段に供給される状態となるように前記保護手段を制御することを特徴とする。
【発明の効果】
【０００９】
本発明によれば、給電装置から無線で供給された電力を受電用コイルを介して受け取る場合に、非接触通信用コイルの後段にある非接触通信用回路が破損してしまうことを防ぎ、非接触通信用回路の破損によって適切な無線通信が行えなくなることを防ぐことができる。
【図面の簡単な説明】
【００１０】
【図１】実施例１における通信システムの一例を示した図である。
【図２】実施例１における電子機器のブロック構成の一例を示した図である。
【図３】実施例１における保護回路の一例を示した図である。
【図４】実施例１における電源制御部の一例を示した図である。
【図５】実施例１における電子機器によって行われる通信処理の一例を示すフローチャートである。
【図６】実施例１における電子機器によって行われるコマンド受信処理の一例を示すフローチャートである。
【図７】実施例２における保護回路の一例を示した図である。
【図８】実施例３における電子機器のブロック構成の一例を示した図である。
【発明を実施するための形態】
【００１１】
［実施例１］
以下、本発明の実施例１に係る電子機器を含む通信システムについて、図面を参照して詳細に説明する。
【００１２】
図１の（ａ）によって示される第１の通信システムについて説明を行う。図１の（ａ）によって示される第１の通信システムには、給電装置１００と電子機器２００とが含まれる。図１の（ａ）における第１の通信システムにおいて、給電装置１００と電子機器２００との距離が第１の範囲内に存在する場合、電子機器２００は、給電装置１００から無線給電される。このとき、給電装置１００は、給電装置１００に含まれる給電アンテナを介して電子機器２００に無線による電力の供給を行い、電子機器２００は、アンテナ２０１を介して給電装置１００から供給される電力を無線により受け付ける。
【００１３】
また、給電装置１００と電子機器２００との距離が第１の範囲内に存在する場合、電子機器２００は、アンテナ２０１を介して給電装置１００と近接無線通信を行う。なお、第１の範囲とは、例えば、数ｃｍから数十ｃｍまでの範囲である。給電装置１００と電子機器２００とは、近接無線通信を行うことによって、無線給電を行うための認証データや無線給電を制御するための制御データの伝送を行う。給電装置１００は、近接無線通信により電子機器２００にデータを送信することによって、正常に電子機器２００に対して給電を行うことができる。また、電子機器２００は、近接無線通信により給電装置１００からデータを受信した場合、給電装置１００から受信したデータに応じて、特定の動作や特定の処理を行う。
【００１４】
次に、図１の（ｂ）によって示される第２の通信システムについて説明を行う。図１の（ｂ）によって示される第２の通信システムには、電子機器２００と通信装置３００とが含まれる。図１の（ｂ）における第２の通信システムにおいて、通信装置３００と電子機器２００との距離が第２の範囲内に存在する場合、電子機器２００は、アンテナ２０１を介して通信装置３００と近接無線通信を行う。なお、第２の範囲とは、例えば、数ｃｍから数十ｃｍまでの範囲である。
【００１５】
また、通信装置３００と電子機器２００とは、近接無線通信を行うことによって、特定のサービスを提供するための認証データの伝送を行う。
【００１６】
実施例１において、給電装置１００と電子機器２００との距離が第１の範囲内に存在する場合に、給電装置１００と電子機器２００とが行う近接無線通信は、ＮＦＣ規格に対応する通信であるものとする。ＮＦＣ規格とは、ＮＦＣ（Ｎｅａｒ  Ｆｉｅｌｄ  Ｃｏｍｍｕｎｉｃａｔｉｏｎ）フォーラムによって規定されている規格である。
【００１７】
また、実施例１において、電子機器２００と通信装置３００との距離が第２の範囲内に存在する場合に、電子機器２００と通信装置３００とが行う近接無線通信は、ＮＦＣ規格に対応する通信であるものとする。なお、第１の範囲と、第２の範囲とは、同一の範囲であっても、異なる範囲であってもよいものとする。
【００１８】
電子機器２００は、通信モードとして、カードエミュレーションモード（ＮＦＣ  Ｃａｒｄ  Ｅｍｕｌａｔｉｏｎ  Ｍｏｄｅ）、リーダ・ライタモード（Ｒｅａｄ／Ｗｒｉｔｅ  Ｍｏｄｅ）及び双方向通信モード（Ｐｅｅｒ  ｔｏ  Ｐｅｅｒ  Ｍｏｄｅ）を有する。
【００１９】
カードエミュレーションモードとは、電子決済等の特定のサービスを受けられるＩＣカードの機能を用いるためのモードである。
【００２０】
リーダ・ライタモードとは、ＮＦＣ規格に対応するデバイスからデータを読み出したり、ＮＦＣ規格に対応するデバイスに対してデータの書き込みを行うためのモードである。
【００２１】
双方向通信モードとは、装置間において行われる通信の認証を行うためのモードである。双方向通信モードとは、例えば、無線ＬＡＮやＢｌｕｅｔｏｏｔｈ（登録商標）のペアリングの設定に関するデータの伝送を行うためのモードである。
【００２２】
電子機器２００の通信モードが、カードエミュレーションモード、リーダ・ライタモード及び双方向通信モードのいずれか一つである場合、電子機器２００は、給電装置１００及び通信装置３００のいずれか一つと近接無線通信を行う。
【００２３】
また、給電装置１００及び通信装置３００も、電子機器２００と同様に、カードエミュレーションモード、リーダ・ライタモード及び双方向通信モードの少なくとも一つを有するものとする。また、給電装置１００及び通信装置３００は、ＮＦＣ規格に応じて、近接無線通信を行う手段を有するものする。
【００２４】
また、実施例１において、給電装置１００は、電子機器２００に磁界共振方式を用いて電子機器２００に無線給電を行い、電子機器２００は、磁界共振方式を用いて給電装置１００から電力を無線により受電するものとする。なお、磁界共振方式は、給電装置１００と電子機器２００との間で磁界を共振させる方式である。
【００２５】
次に、図２を参照して、実施例１に係る電子機器２００の構成の一例について説明を行う。なお、電子機器２００の一例として、デジタルスチルカメラを挙げ、以下説明を行う。
【００２６】
電子機器２００は、図２のように、アンテナ２０１、整合回路２０２、整流平滑回路２０３、変復調回路２０４、ＣＰＵ２０５、ＲＯＭ２０６、ＲＡＭ２０７、電流・電圧検出部２０８、電源制御部２０９及びレギュレータ２１０を有する。さらに、電子機器２００は、図１に示すように、充電制御部２１１、電池２１２、タイマー２１３、プロセッサ２１４、撮像部２１５、記録部２１６、記録媒体２１６ａ、操作部２１７、表示部２１８、通信部２１９及び保護回路２２０を有する。
【００２７】
アンテナ２０１は、給電装置１００及び通信装置３００のいずれか一つと近接無線通信を行うためのアンテナである。さらに、アンテナ２０１は、給電装置１００から供給される電力を受電するためのアンテナである。
【００２８】
電子機器２００の通信モードがカードエミュレーションモードである場合、電子機器２００は、アンテナ２０１を介して、給電装置１００及び通信装置３００のいずれか一つからデータが重畳された電力を受け取る。これによって、電子機器２００は、給電装置１００及び通信装置３００のいずれか一つから近接無線通信によってデータを受信することができる。また、この場合、電子機器２００がアンテナ２０１を介して給電装置１００及び通信装置３００のいずれか一つから近接無線通信によってデータを受信したとき、電子機器２００は、受信したデータに対する応答データをアンテナ２０１を介して出力する。しかし、電子機器２００の通信モードがカードエミュレーションモードである場合、電子機器２００は、自発的にデータが重畳された電力を給電装置１００及び通信装置３００のいずれか一つにアンテナ２０１を介して出力することはできない。
【００２９】
電子機器２００の通信モードがリーダ・ライタモードである場合、電子機器２００は、アンテナ２０１を介して、データが重畳された電力を給電装置１００及び通信装置３００のいずれか一つに出力する。これによって、電子機器２００は、給電装置１００及び通信装置３００のいずれか一つに近接無線通信によってデータを送信することができる。また、この場合、電子機器２００がアンテナ２０１を介して給電装置１００及び通信装置３００のいずれか一つに近接無線通信によってデータを送信したとき、電子機器２００は、送信したデータに対する応答データをアンテナ２０１を介して受信する。しかし、電子機器２００の通信モードがリーダ・ライタモードである場合、電子機器２００は、アンテナ２０１を介して、給電装置１００及び通信装置３００のいずれか一つからデータが重畳された電力を受け取ることはできない。
【００３０】
電子機器２００の通信モードが双方向通信モードである場合、電子機器２００は、アンテナ２０１を介して、データが重畳された電力を給電装置１００及び通信装置３００のいずれか一つに出力する。これによって、電子機器２００は、給電装置１００及び通信装置３００のいずれか一つに近接無線通信によってデータを送信することができる。また、電子機器２００の通信モードが双方向通信モードである場合、電子機器２００は、データが重畳された電力をアンテナ２０１を介して給電装置１００及び通信装置３００のいずれか一つから受け取る。これによって、電子機器２００は、給電装置１００及び通信装置３００のいずれか一つから近接無線通信によってデータを受信することができる。
【００３１】
電子機器２００の通信モードがカードエミュレーションモード及び双方向通信モードのいずれか一つの場合であっても、電子機器２００は、アンテナ２０１を介して、給電装置１００から供給される電力を受け取ることができる。なお、電子機器２００の通信モードがリーダ・ライタモードである場合、電子機器２００は、アンテナ２０１を介して、給電装置１００から供給される電力を受け取らないものとする。なお、アンテナ２０１は、例えば、コイルから構成されるループアンテナ等である。また、アンテナ２０１は、ヘリカルアンテナであっても、メアンダラインアンテナ等の平面状のアンテナであってもよい。
【００３２】
整合回路２０２は、給電装置１００に含まれる給電のための給電アンテナとアンテナ２０１とが共振するようにアンテナ２０１の周波数ｆを制御するための共振回路である。また、整合回路２０２は、インピーダンスマッチングを行うための回路でもある。なお、整合回路２０２には、不図示の可変コンデンサ、不図示の可変コイル、不図示の可変抵抗等が含まれるものとする。
【００３３】
ＣＰＵ２０５は、給電装置１００に含まれる給電アンテナとアンテナ２０１とを共振させるために、給電アンテナの周波数とアンテナ２０１の周波数ｆとが一致するように整合回路２０２を制御する。
【００３４】
なお、ＣＰＵ２０５は、整合回路２０２に含まれる不図示の可変コンデンサの値及び不図示の可変コイルの値を制御することによって、給電アンテナの周波数とアンテナ２０１の周波数ｆとが一致するように制御する。
【００３５】
なお、ＣＰＵ２０５は、給電装置１００に含まれる給電アンテナとアンテナ２０１とを共振させるために、アンテナ２０１の周波数ｆが商用周波数５０／６０Ｈｚになるように制御してもよい。また、ＣＰＵ２０５は、給電装置１００に含まれる給電アンテナとアンテナ２０１とを共振させるために、アンテナ２０１の周波数ｆが、１３．５６ＭＨｚ前後の周波数になるように制御してもよい。
【００３６】
さらに、整合回路２０２は、アンテナ２０１に流れる電流及びアンテナ２０１に供給される電圧の変化を検出することもできる。
【００３７】
また、整合回路２０２は、アンテナ２０１を介して給電装置１００及び通信装置３００のいずれか一つから供給される電力を整流平滑回路２０３に供給する。
【００３８】
なお、電子機器２００の通信モードが、カードエミュレーションモード、リーダ・ライタモード及び双方向通信モードのいずれか一つである場合、ＣＰＵ２０５は、アンテナ２０１の周波数ｆが１３．５６ＭＨｚになるように整合回路２０２を制御する。なお、１３．５６ＭＨｚは、ＮＦＣ規格に対応する周波数である。
【００３９】
整流平滑回路２０３は、整合回路２０２から供給される電力から重畳されたデータやノイズを取り除くことによって、直流電力を生成する。整流平滑回路２０３は、例えば、整流用のダイオードを有し、全波整流及び半波整流のいずれか一つにより直流電力を生成する。
【００４０】
整流平滑回路２０３は、整合回路２０２から供給される電力から生成した直流電力を電流・電圧検出部２０８に供給する。整流平滑回路２０３によって生成された直流電力は、電流・電圧検出部２０８を介して電源制御部２０９に供給される。また、整流平滑回路２０３によって整合回路２０２から供給される電力から取り除かれたデータは、変復調回路２０４に供給される。
【００４１】
変復調回路２０４は、ＮＦＣ規格に応じて、給電装置１００及び通信装置３００のいずれか一つとアンテナ２０１を介して近接無線通信を行うための回路である。
【００４２】
変復調回路２０４は、整流平滑回路２０３から供給されるデータをＮＦＣ規格に対応する通信プロトコルに応じて、解析する。変復調回路２０４によって解析されたデータの解析結果は、変復調回路２０４からＣＰＵ２０５に供給される。このことによって、電子機器２００は、近接無線通信によってデータを給電装置１００及び通信装置３００のいずれか一つからアンテナ２０１を介して受信することができる。
【００４３】
また、変復調回路２０４は、整合回路２０２によって検出されるアンテナ２０１に流れる電流の変化に応じて、アンテナ２０１を介して給電装置１００及び通信装置３００のいずれか一つに送信したデータに対する応答データを検出する。変復調回路２０４によって検出された応答データは、変復調回路２０４からＣＰＵ２０５に供給される。このことによって、電子機器２００は、近接無線通信によって送信したデータに対応する応答データを給電装置１００及び通信装置３００のいずれか一つからアンテナ２０１を介して受信することができる。
【００４４】
また、変復調回路２０４は、アンテナ２０１を介して給電装置１００及び通信装置３００のいずれか一つに送信するためのデータをＡＳＫ（ａｍｐｌｉｔｕｄｅ  ｓｈｉｆｔ  ｋｅｙｉｎｇ）変調を行うことによって生成する。変復調回路２０４は、ＡＳＫ変調に応じて生成したデータを電源制御部２０９から供給される電力に重畳して、整合回路２０２を介してアンテナ２０１に供給する。アンテナ２０１に供給されたＡＳＫ変調に応じて生成されたデータを含む電力は、アンテナ２０１を介して、給電装置１００及び通信装置３００のいずれか一つに供給される。このことによって、電子機器２００は、近接無線通信によってデータを給電装置１００及び通信装置３００のいずれか一つにアンテナ２０１を介して送信することができる。
【００４５】
また、電子機器２００がアンテナ２０１を介して給電装置１００及び通信装置３００のいずれか一つからデータを受信した場合、変復調回路２０４は、負荷変調を行う。このことによって、変復調回路２０４は、電子機器２００が受信したデータに対する応答データが整合回路２０２及びアンテナ２０１を介して出力されるようにする。したがって、電子機器２００は、近接無線通信によって受信したデータに対する応答データを給電装置１００及び通信装置３００のいずれか一つにアンテナ２０１を介して送信することができる。なお、負荷変調は、変復調回路２０４が変復調回路２０４に含まれる負荷を変動させることによって行われる。
【００４６】
電子機器２００の通信モードがカードエミュレーションモードである場合に、変復調回路２０４は、アンテナ２０１を介して供給されたデータを受信するための処理と、受信したデータに対する応答データをアンテナ２０１を介して送信するための処理とを行う。
【００４７】
また、電子機器２００の通信モードがリーダ・ライタモードである場合に、変復調回路２０４は、アンテナ２０１を介してデータを送信するための処理と、送信したデータに対する応答データをアンテナ２０１を介して受信するための処理とを行う。
【００４８】
また、電子機器２００の通信モードが双方向通信モードである場合に、変復調回路２０４は、アンテナ２０１を介して供給されたデータを受信するための処理と、アンテナ２０１を介してデータを送信するための処理とを行う。
【００４９】
ＣＰＵ２０５は、ＲＯＭ２０６に記録されたコンピュータプログラムに応じて、電子機器２００を制御する。また、ＣＰＵ２０５は、変復調回路２０４から供給されたデータの解析結果に応じて、電子機器２００を制御する。
【００５０】
ＲＯＭ２０６は、電子機器２００を制御するためのコンピュータプログラム及び電子機器２００で行われる動作や処理に関するパラメータ等の情報を記憶する。また、ＲＯＭ２０６には、電子機器２００の識別データ、電子機器２００のデバイスデータ、表示データ及び無線ＬＡＮ（Ｌｏｃａｌ  Ａｒｅａ  Ｎｅｔｗｏｒｋ）に対応する通信を行うための認証データ等が記録される。電子機器２００の識別データには、電子機器２００のＩＤを示すデータ等が含まれる。電子機器２００のデバイスデータには、電子機器２００のメーカー名、電子機器２００の装置名、電子機器２００の機能を示すデータや電子機器２００の受電能力を示す受電能力データ等が含まれる。また、無線ＬＡＮに対応する通信を行うための認証データには、例えば、ＳＳＩＤ（Ｓｅｒｖｉｃｅ  Ｓｅｔ  ＩＤ）を示すデータ及びＥＳＳＩＤ（Ｅｘｔｅｎｄｅｄ  ＳＳＩＤ）を示すデータの少なくとも一つが含まれる。また、無線ＬＡＮに対応する通信を行うための認証データには、ＭＡＣアドレスを示すデータが含まれていてもよく、セキュリティーに関するデータが含まれていても良いものとする。
【００５１】
受電能力データには、電子機器２００が給電装置１００から受電できる電力を示すデータや電子機器２００が電池２１２の充電を行うために必要な電力を示すデータ等が含まれる。
【００５２】
ＲＡＭ２０７は、書き換え可能な不揮発性メモリである。ＲＡＭ２０７は、一時的に電子機器２００を制御するためのコンピュータプログラム、電子機器２００によって行われる動作や処理に関するパラメータを示すデータ、給電装置１００及び通信装置３００のいずれか一つから取得したデータ等を記録する。また、ＲＡＭ２０７は、変復調回路２０４からＣＰＵ２０５に供給されたデータを記録する。
【００５３】
電流・電圧検出部２０８は、整流平滑回路２０３から供給される直流電力の電流値を示す電流情報と、整流平滑回路２０３から供給される直流電力の電圧値を示す電圧情報とを検出する。電流・電圧検出部２０８によって検出された電流情報及び電圧情報は、ＣＰＵ２０５に供給される。
【００５４】
ＣＰＵ２０５は、電流・電圧検出部２０８から供給される電流情報及び電圧情報に応じて、保護回路２２０を制御する。また、ＣＰＵ２０５は、電流・電圧検出部２０８から供給された電流情報及び電圧情報に応じて、給電装置１００から電子機器２００がアンテナ２０１を介して受電した電力を算出する。電流・電圧検出部２０８で検出された電圧情報に応じて、整流平滑回路２０３から供給される直流電力の電圧が所定の電圧以上であることが検出された場合、ＣＰＵ２０５は、整合回路２０２を制御し、給電装置１００から電力を受電しないようにしてもよい。
【００５５】
電源制御部２０９は、電子機器２００の各部に供給する電力を制御する。電源制御部２０９は、レギュレータ２１０を有する。電源制御部２０９は、給電装置１００、電池２１２及び不図示のＡＣ電源のいずれか一つから電力が供給される。電池２１２と電子機器２００とが接続されている場合、電源制御部２０９は、電池２１２から電力が供給される。給電装置１００からアンテナ２０１を介して電力が供給される場合、電源制御部２０９は、アンテナ２０１、整合回路２０２、整流平滑回路２０３及び電流・電圧検出部２０８を介して給電装置１００から電力が供給される。不図示のＡＣ電源と電子機器２００とが接続されている場合、電源制御部２０９は、不図示のＡＣ電源から電力が供給される。
【００５６】
レギュレータ２１０は、電池２１２、給電装置１００及びＡＣ電源のいずれか一つから電源制御部２０９に供給されている電力を適切な電圧のレベルに変換して電子機器２００の各部に供給する。レギュレータ２１０は、ＣＰＵ２０５の指示に応じて、電子機器２００の各部に電力を供給する。なお、レギュレータ２１０は、スイッチングレギュレータであっても、リニアレギュレータであっても良いものとする。なお、レギュレータ２１０は、電源制御部２０９に供給される電力を複数の異なる電圧のレベルに変換して電子機器２００に供給できるように複数のレギュレータ用ＩＣで構成してもよい。
【００５７】
充電制御部２１１は、レギュレータ２１０から電力を供給される場合、電池２１２の充電を行う。なお、充電制御部２１１は、定電圧定電流方式により電池２１２の充電を行うものとする。また、充電制御部２１１は、電池２１２の充電に関する充電データを定期的に検出し、ＣＰＵ２０５に供給する。なお、充電データとは、例えば、電池２１２の残りの容量を示す残容量データ、電池２１２に流れる充電電流を示すデータ、または電池２１２に供給される充電電圧を示すデータである。また、充電データには、電池２１２に急速充電が行われているか否かを示すデータや電池２１２にトリクル充電が行われているか否かを示すデータ等が含まれていてもよいものとする。
【００５８】
また、充電制御部２１１は、電池２１２の充電が行われていない場合であっても、電池２１２から放電される電圧及び電池２１２から放電される電流を検出することができる。
【００５９】
ＣＰＵ２０５は、充電制御部２１１から供給される充電データに応じて、電池２１２の充電が正常に行われているか否かを検出する。
【００６０】
電池２１２は、電子機器２００に着脱可能な電池である。また、電池２１２は、充電可能な二次電池であり、例えば、リチウムイオン電池等である。電池２１２と電子機器２００とが接続されている場合、電池２１２は、電源制御部２０９に電力を供給する。
【００６１】
タイマー２１３は、現在の時刻や各部で行われる動作や処理に関する時間を計測する。また、タイマー２１３によって計測される時間に対する閾値は、ＲＯＭ２０６にあらかじめ記録されている。
【００６２】
プロセッサ２１４は、撮像部２１５及び記録部２１６の少なくとも一つを制御する。また、プロセッサ２１４は、操作部２１７を介して入力された信号に応じて、撮像部２１５及び記録部２１６の少なくとも一つを制御する。ユーザによって操作部２１７が操作された場合、操作部２１７に対して行われた操作に対応する信号が操作部２１７からプロセッサ２１４に入力される。また、プロセッサ２１４は、操作部２１７から入力された信号をＣＰＵ２０５に通知する。ＣＰＵ２０５は、プロセッサ２１４から入力された信号に応じて、電子機器２００を制御する。
【００６３】
撮像部２１５は、被写体の光学像から映像データを生成するための撮像素子、撮像素子で生成された映像データに対して画像処理を行う画像処理回路及び映像データを圧縮したり、圧縮された映像データを伸長したりするための圧縮伸長回路等を有する。撮像部２１５は、被写体の撮影を行い、撮影の結果により得られた映像データを記録部２１６に供給する。記録部２１６は、撮像部２１５から供給された映像データを記録媒体２１６ａに記録する。なお、映像データは、静止画データ及び動画データの少なくとも一つを含むデータであるものとする。撮像部２１５は、動画データに対応する音声データを生成するための音声生成部をさらに有していてもよいものとする。
【００６４】
記録部２１６は、撮像部２１５から供給された映像データや音声データ等のデータを記録媒体２１６ａに記録する。記録部２１６は、通信部２１９によって受信された映像データや音声データ等を記録媒体２１６ａに記録する。また、記録部２１６は、記録媒体２１６ａに記録されている映像データや音声データ等を表示部２１８や外部の表示装置に供給することによって、コンテンツの再生を行う。記録部２１６は、外部装置に送信するための映像データや音声データを記録媒体２１６ａから読み出して、通信部２１９に供給する。
【００６５】
なお、記録媒体２１６ａは、ハードディスクやメモリカード等であってもよい。また、記録媒体２１６ａは、フラッシュメモリであってもよく、磁気ディスクを含むメモリであっても良いものとする。また、記録媒体２１６ａは、電子機器２００に内蔵されている記録媒体であっても、電子機器２００と接続可能な外部の記録媒体であってもよい。
【００６６】
操作部２１７は、電子機器２００を操作するためのユーザインターフェースである。操作部２１７は、電子機器２００を操作するための電源ボタン及び電子機器２００の動作モードを切り換えるモード切換ボタン等を有し、各ボタンはスイッチ、タッチパネル等により構成される。ユーザによって操作部２１７が操作された場合、操作部２１７は、ユーザによって行われた操作に対応する信号をプロセッサ２１４及びＣＰＵ２０５の少なくとも一つに供給する。なお、操作部２１７は、不図示のリモートコントローラから受信したリモコン信号に応じて電子機器２００を制御するものであってもよい。
【００６７】
表示部２１８は、記録媒体２１６ａ、ＲＡＭ２０７及びＲＯＭ２０６のいずれか一つから供給される映像データを表示する。
【００６８】
通信部２１９は、無線ＬＡＮ規格に規定されている８０２．１１ａ、ｂ、ｇ、ｎ規格に応じて、給電装置１００及び通信装置３００のいずれか一つと無線通信を行うものとする。
【００６９】
通信部２１９は、無線ＬＡＮ規格に応じて、映像データ、音声データ及び制御データ等を給電装置１００及び通信装置３００のいずれか一つに送信する。また、通信部２１９は、無線ＬＡＮ規格に応じて、映像データ、音声データ及び制御データ等を給電装置１００及び通信装置３００のいずれか一つから受信する。
【００７０】
なお、通信部２１９は、電子機器２００が給電装置１００及び通信装置３００のいずれか一つと近接無線通信を行っている場合あっても、給電装置１００及び通信装置３００のいずれか一つと無線ＬＡＮ規格に応じて、通信を行うことができる。
【００７１】
保護回路２２０は、給電装置１００及び通信装置３００のいずれか一つからアンテナ２０１を介して電子機器２００が受け取った電力から変復調回路２０４を保護するために用いられる回路である。
【００７２】
例えば、給電装置１００から電子機器２００が無線給電される場合、給電装置１００からアンテナ２０１を介して受電された電力が整合回路２０２を介して変復調回路２０４に供給される場合がある。給電装置１００から電子機器２００に近接無線通信を行うための電力よりも大きい電力が供給される場合、変復調回路２０４が許容可能な電力よりも大きい電力が整合回路２０２から変復調回路２０４に供給される可能性がある。変復調回路２０４が許容可能な電力よりも大きい電力が変復調回路２０４に供給された場合、変復調回路２０４が破損され、電子機器２００が正常に近接無線通信を行えなくなるという問題があった。なお、近接無線通信を行うための電力とは、例えば、数十ｍＷ〜１Ｗ以下の電力であるものとする。また、近接無線通信を行うための電力とは、データが重畳された電力であるものとする。このような問題が発生すると、給電装置１００は、電子機器２００から電子機器２００の状態を検出するためのデータを取得することができなくなってしまい、電子機器２００に対する無線給電の制御を正常に行えなくなってしまう。
【００７３】
そのため、実施例１に係る電子機器２００には、図３に示される保護回路２２０が設けられる。以下、図３を用いて保護回路２２０について説明を行う。
【００７４】
整合回路２０２は、アンテナ２０１の周波数ｆを制御するためのコンデンサとして、コンデンサ２０２ａ、２０２ｂ、２０２ｃ、２０２ｄ、２０２ｅ、２０２ｆ及び２０２ｇを有する。アンテナ２０１から整合回路２０２に供給される電力は、コンデンサ２０２ａ、２０２ｂ及び２０２ｃを介して整流平滑回路２０３に供給される。また、整合回路２０２と変復調回路２０４とは、コンデンサ２０２ｄ、２０２ｅ、２０２ｆ及び２０２ｇを介して接続されている。コンデンサ２０２ｄ、２０２ｅ、２０２ｆ及び２０２ｇは、変復調回路２０４の通信ピンＲＸＮ２０４ａ、ＲＸＰ２０４ｂ、ＴＸＮ２０４ｃ及びＴＸＰ２０４ｄと、それぞれ接続される。
【００７５】
コンデンサ２０２ｄは、通信ピンＲＸＮ２０４ａと接続される。コンデンサ２０２ｅは、通信ピンＲＸＰ２０４ｂと接続される。コンデンサ２０２ｆは、通信ピンＴＸＮ２０４ｃと接続される。コンデンサ２０２ｇは、通信ピンＴＸＰ２０４ｄと接続される。
【００７６】
通信ピンＴＸＰ２０４ｄ及びＴＸＮ２０４ｃは、データが重畳された電力を変復調回路２０４からアンテナ２０１を介して外部に出力するために用いられる。
【００７７】
通信ピンＲＸＰ２０４ｂ及びＲＸＮ２０４ａは、アンテナ２０１を介して受電された電力から取り除かれたデータを変復調回路２０４に供給するために用いられる。さらに、通信ピンＲＸＰ２０４ｂ及びＲＸＮ２０４ａは、アンテナ２０１を介して変復調回路２０４に供給されたデータに対する応答データをアンテナ２０１を介して外部に出力するために用いられる。
【００７８】
保護回路２２０は、アンテナ２０１から整合回路２０２に供給される電力がコンデンサ２０２ｄ、２０２ｅ、２０２ｆ及び２０２ｇを介して変復調回路２０４に供給されないようにするための回路である。
【００７９】
保護回路２２０は、ＦＥＴ２２０ａ、２２０ｂ、２２０ｃ及び２２０ｄを有する。ＣＰＵ２０５は、ＦＥＴ２２０ａのゲート電圧、ＦＥＴ２２０ｂのゲート電圧、ＦＥＴ２２０ｃのゲート電圧及びＦＥＴ２２０ｄのゲート電圧の少なくとも一つを制御する。
【００８０】
ＦＥＴ２２０ａの一方は、コンデンサ２０２ｄと通信ピンＲＸＮ２０４ａとの間に接続され、ＦＥＴ２２０ａの他方は、ＧＮＤに接続されている。ＦＥＴ２２０ｂの一方は、コンデンサ２０２ｅと通信ピンＲＸＰ２０４ｂとの間に接続され、ＦＥＴ２２０ｂの他方は、ＧＮＤに接続されている。ＦＥＴ２２０ｃの一方は、コンデンサ２０２ｆと通信ピンＴＸＮ２０４ｃとの間に接続され、ＦＥＴ２２０ｃの他方は、ＧＮＤに接続されている。ＦＥＴ２２０ｄの一方は、コンデンサ２０２ｇと通信ピンＴＸＰ２０４ｄとの間に接続され、ＦＥＴ２２０ｄの他方は、ＧＮＤに接続されている。
【００８１】
電子機器２００が給電装置１００から無線給電される場合、ＣＰＵ２０５は、ＦＥＴ２２０ａ、２２０ｂ、２２０ｃ及び２２０ｄをオンにするか否かをＦＥＴ２２０ｂのゲート電圧、ＦＥＴ２２０ｃのゲート電圧及びＦＥＴ２２０ｄのゲート電圧に応じて制御する。
【００８２】
これにより、ＣＰＵ２０５は、ＦＥＴ２２０ａ、２２０ｂ、２２０ｃ及び２２０ｄを制御することによって、給電装置１００からアンテナ２０１を介して電子機器２００が受電した電力から変復調回路２０４を保護することができる。
【００８３】
電子機器２００が給電装置１００から受電した電力から変復調回路２０４を保護する場合、ＣＰＵ２０５は、ＦＥＴ２２０ａ、２２０ｂ、２２０ｃ及び２２０ｄを制御することで、整合回路２０２から変復調回路２０４に供給される電流がＧＮＤに流れるようにする。この場合、ＣＰＵ２０５は、ＦＥＴ２２０ａ、２２０ｂ、２２０ｃ及び２２０ｄをオンにするように、ＦＥＴ２２０ａのゲート電圧、ＦＥＴ２２０ｂのゲート電圧、ＦＥＴ２２０ｃのゲート電圧及びＦＥＴ２２０ｄのゲート電圧を制御する。この場合、ＣＰＵ２０５は、通信ピンＲＸＮ２０４ａ、ＲＸＰ２０４ｂ、ＴＸＮ２０４ｃ及びＴＸＰ２０４ｄに整合回路２０２から供給される電流が流れないようにすることができる。このため、ＣＰＵ２０５は、保護回路２２０を制御することによって、給電装置１００からアンテナ２０１を介して電子機器２００が受電した電力から変復調回路２０４を保護することができる。
【００８４】
給電装置１００及び通信装置３００のいずれか一つから近接無線通信のための電力を電子機器２００が受電した場合、ＣＰＵ２０５は、ＦＥＴ２２０ａ、２２０ｂ、２２０ｃ及び２２０ｄをオンにしないようにする。この場合、整合回路２０２から供給される電流が通信ピンＲＸＮ２０４ａ及びＲＸＰ２０４ｂを介して変復調回路２０４に流れるようにする。
【００８５】
なお、保護回路２２０は、図３に示した構成以外にも、通信ピンＴＸＰ２０４ｄ及びＴＸＮ２０４ｃから出力される近接無線通信のための電力の出力レベルを増幅するためのアンプ回路を有するものであってもよい。また、保護回路２２０は、図３に示した構成以外にも、通信ピンＲＸＰ２０４ｂ及びＲＸＮ２０４ａに供給する電圧や電流のレベルを低下させてから、受信したデータを増幅するためのアンプ回路を有するものであってもよい。また、保護回路２２０はショットキーバリアダイオードによる電圧を一定以下にクリップするクリッピング回路であってもよい。
【００８６】
実施例１に係る電子機器２００の電源制御部２０９は、図４に示すように構成を有する。
【００８７】
例えば、給電装置１００及び通信装置３００のいずれか一つに電子機器２００が近接無線通信によってデータを送信する場合、変復調回路２０４からデータが重畳された電力が整合回路２０２を介してアンテナ２０１に供給される。しかし、この場合、変復調回路２０４から整合回路２０２に供給される近接無線通信のための電力が整流平滑回路２０３を介して電源制御部２０９に供給される場合がある。変復調回路２０４から整合回路２０２に供給される近接無線通信のための電力が整流平滑回路２０３を介して電源制御部２０９に供給された場合、アンテナ２０１に供給される近接無線通信のための電力が減少してしまう。この場合、例えば、電子機器２００から給電装置１００に近接無線通信によってデータが送信されたとしても、給電装置１００は、電子機器２００から送信されたデータを正常に受信できない可能性があった。また、電子機器２００から通信装置３００に近接無線通信によってデータが送信される場合も、給電装置１００と同様な問題が発生する可能性がある。このような問題が発生すると、電子機器２００は、給電装置１００及び通信装置３００のいずれか一つと近接無線通信を行うことができなくなるので、電子機器２００は、特定のサービスをユーザに提供できなくなる。
【００８８】
そのため、実施例１に係る電子機器２００には、図４に示す構成を有する電源制御部２０９を有する。次に図４を用いて、電源制御部２０９の構成の一例について説明する。
【００８９】
電源制御部２０９は、レギュレータ２１０ａ、２１０ｂ及び２１０ｃを有する。さらに、電源制御部２０９は、ＦＥＴ２０９ａ、２０９ｂ及びＦＥＴ２０９ｃを有する。ＣＰＵ２０５は、ＦＥＴ２０９ａのゲート電圧、ＦＥＴ２０９ｂのゲート電圧及びＦＥＴ２０９ｃのゲート電圧を制御することによって、電源制御部２０９から供給される電力の供給先を制御する。なお、レギュレータ２１０ａは、電源制御部２０９から供給された電力を電池２１２及び充電制御部２１１に供給するためのレギュレータである。レギュレータ２１０ｃは、電源制御部２０９から供給された電力を変復調回路２０４及びＣＰＵ２０５に供給するためのレギュレータである。レギュレータ２１０ｂは、電源制御部２０９から供給された電力を変復調回路２０４、ＣＰＵ２０５、充電制御部２１１及び電池２１２以外の回路に供給するためのレギュレータである。変復調回路２０４、ＣＰＵ２０５、充電制御部２１１及び電池２１２以外の回路とは、例えば、撮像部２１５、記録部２１６、表示部２１８及び通信部２１９の少なくとも一つを含むものとする。
【００９０】
ＣＰＵ２０５は、ＦＥＴ２０９ａのゲート電圧を制御することによって、ＦＥＴ２０９ａをオンにするか否かを制御する。ＣＰＵ２０５は、ＦＥＴ２０９ｂのゲート電圧を制御することによって、ＦＥＴ２０９ｂをオンにするか否かを制御する。ＣＰＵ２０５は、ＦＥＴ２０９ｃのゲート電圧を制御することによって、ＦＥＴ２０９ｃをオンにするか否かを制御する。
【００９１】
ＦＥＴ２０９ａがオンである場合、給電装置１００から電流・電圧検出部２０８を介して電源制御部２０９に供給される電力は、レギュレータ２１０ｃ及びレギュレータ２１０ａに供給される。ＦＥＴ２０９ａがオフである場合、給電装置１００から電流・電圧検出部２０８を介して電源制御部２０９に供給される電力は、レギュレータ２１０ｃ及びレギュレータ２１０ａに供給されない。
【００９２】
ＦＥＴ２０９ａがオンである場合であって、かつ、ＦＥＴ２０９ｂがオンである場合、給電装置１００から電流・電圧検出部２０８を介して電源制御部２０９に供給される電力は、レギュレータ２１０ｂに供給される。ＦＥＴ２０９ａがオフである場合、または、ＦＥＴ２０９ｂがオフである場合、給電装置１００から電流・電圧検出部２０８を介して電源制御部２０９に供給される電力は、レギュレータ２１０ｂに供給されない。
【００９３】
ＦＥＴ２０９ｃがオンである場合、電池２１２から電源制御部２０９に供給される電力は、レギュレータ２１０ａ及びレギュレータ２１０ｃに供給される。ＦＥＴ２０９ｃがオフである場合、電池２１２から電源制御部２０９に供給される電力は、レギュレータ２１０ａ及びレギュレータ２１０ｃに供給されない。なお、この場合、ＣＰＵ２０５は、電池２１２から電源制御部２０９に供給される電力が、ＦＥＴ２０９ｃ及びレギュレータ２１０ａを介して、充電制御部２１１に供給されたとしても、充電制御部２１１が電池２１２の充電を行わないように制御する。このことによって、電池２１２から放電された電力が電池２１２に供給されないようにする。
【００９４】
ＦＥＴ２０９ｃがオンである場合であって、かつ、ＦＥＴ２０９ｂがオンである場合、電池２１２から電源制御部２０９に供給される電力は、レギュレータ２１０ｂに供給される。ＦＥＴ２０９ｃがオフである場合、または、ＦＥＴ２０９ｂがオフである場合、電池２１２から電源制御部２０９に供給される電力は、レギュレータ２１０ｂに供給されない。
【００９５】
ＣＰＵ２０５は、ＦＥＴ２０９ａ、２０９ｂ及び２０９ｃを制御することによって、変復調回路２０４から整合回路２０２に供給される近接無線通信のための電力が整流平滑回路２０３を介して電源制御部２０９に供給されないようにする。
【００９６】
なお、電源制御部２０９は、図４に示す構成以外にもＦＥＴを有するものであってもよい。また、電源制御部２０９は、図４に示す構成以外にも電流の制限を行うための回路を有していてもよく、ＦＥＴの代わりにスイッチを用いるものであってもよい。
【００９７】
電子機器２００は、電池２１２から供給される電力によって動作する電子機器であれば、デジタルスチルカメラ以外の装置であってもよい。電子機器２００は、カメラ付き携帯電話、デジタルビデオカメラ、スマートフォン等の撮像装置であってもよく、音声データや映像データの再生を行うプレイヤ等の再生装置であってもよい。また、電子機器２００は、電池２１２から供給される電力によって駆動する車のような移動装置であってもよい。
【００９８】
また、電子機器２００は、電池２１２が装着されていない場合であっても、給電装置１００から供給される電力によって動作を行うことができる電子機器であってもよいものとする。
【００９９】
次に、給電装置１００について説明を行う。給電装置１００は、磁界共鳴方式に応じて、電子機器２００に無線給電を行うための給電アンテナと、給電装置１００の給電アンテナの共振周波数を制御するための共振回路とを有する。さらに、給電装置１００は、電子機器２００と近接無線通信を行うための近接無線通信部と、給電アンテナを介して電子機器２００に供給する電力を生成するための電力生成部と、給電装置１００を制御するための制御部とを有するものとする。なお、給電装置１００は、給電アンテナを介して電子機器２００と近接無線通信を行うものとする。また、給電装置１００は、電子機器２００と近接無線通信を行う場合、電子機器２００と近接無線通信を行うための周波数になるように、共振回路を用いて給電アンテナの周波数を制御する。
【０１００】
給電装置１００は、第１の電力及び第２の電力のいずれか一つを電子機器２００に供給する。
【０１０１】
第１の電力は、給電装置１００と電子機器２００とが近接無線通信を行うために給電装置１００において生成される電力である。なお、第１の電力は、例えば、１Ｗ以下の電力である。第１の電力は、給電装置１００がリーダ・ライタモードである場合に、給電装置１００から電子機器２００に供給される。第２の電力は、電子機器２００に充電や特定の動作を行わせるために給電装置１００で生成される電力である。第２の電力は、第１の電力よりも大きい電力である。なお、第２の電力は、例えば１．５Ｗ〜１０Ｗまでの電力であるとする。
【０１０２】
なお、給電装置１００が第１の電力を電子機器２００に供給している場合、給電装置１００は、給電アンテナの周波数が１３．５６ＭＨｚになるように給電装置１００の共振回路を制御するものとする。第２の電力は、給電装置１００が給電を開始してから給電を停止するまでの間、給電装置１００から電子機器２００に供給される。なお、給電装置１００が第２の電力を電子機器２００に供給している場合、給電装置１００は、電子機器２００と近接無線通信を行うことができないものとする。
【０１０３】
以下、給電装置１００の動作について説明を行う。
【０１０４】
給電装置１００は、無線給電を行う場合、リーダ・ライタモードとなり、第２の電力を電子機器２００に開始する前に、電子機器２００と近接無線通信によって給電を開始するための認証を行う。給電装置１００は、無線給電を行う場合、近接無線通信によって、電子機器２００を制御するための制御データを電子機器２００に送信する。なお、制御データを以下「コマンド」と呼ぶものとする。
【０１０５】
このため、給電装置１００は、第１の電力を電子機器２００に供給しながら、電子機器２００の識別データを要求するための第１のコマンドを電子機器２００に送信し、電子機器２００のデバイスデータを取得するための第２のコマンドを電子機器２００に送信する。
【０１０６】
第１のコマンドに対応する応答データ及び第２のコマンドに対応する応答データの少なくとも一つを給電装置１００が電子機器２００から取得しなかった場合、給電を開始するための認証は完了しない。この場合、給電装置１００は、給電を開始するための認証が完了するまで、第２の電力を電子機器２００に供給しないようにする。
【０１０７】
また、第１のコマンドに対応する応答データ及び第２のコマンドに対応する応答データを給電装置１００が電子機器２００から取得した場合、給電を開始するための認証は完了する。この場合、給電装置１００は、電子機器２００への第２の電力の供給を開始することを通知するための第３のコマンドを近接無線通信によって電子機器２００に送信する。給電装置１００は、第３のコマンドに対応する応答データを電子機器２００から取得した場合、第２の電力を電子機器２００に供給する。このとき、給電装置１００は、第１のコマンドに対応する応答データ及び第２のコマンドに対応する応答データの少なくとも一つに応じて、第２の電力の値を設定する。
【０１０８】
給電装置１００から電子機器２００に第２の電力が一定時間供給された場合、給電装置１００は、電子機器２００への給電を制御するために、電子機器２００のステータスデータを取得するための第４のコマンドを近接無線通信によって電子機器２００に送信する。この場合、給電装置１００は、電子機器２００によって行われている充電や特定の動作が終了していない場合であっても、電子機器２００に供給する電力を第２の電力から第１の電力に切り替えて、近接無線通信によって第４のコマンドを送信する。給電装置１００は、第４のコマンドに対応する応答データを電子機器２００から取得した場合、第４のコマンドに対応する応答データに応じて、電子機器２００に対して第２の電力を供給する処理を終了するか否かを判定する。例えば、給電装置１００は、第４のコマンドに対応する応答データを用いて、電子機器２００による充電が終了したか否かを検出することによって、電子機器２００に第２の電力を供給する処理を終了するように制御してもよい。なお、この場合、電子機器２００による充電が終了したと検出された場合、給電装置１００は、電子機器２００に対して第２の電力を供給する処理を終了するように制御する。また、この場合、電子機器２００による充電が終了したと検出されていない場合、給電装置１００は、電子機器２００に対して第２の電力を供給する処理を終了しないように制御する。
【０１０９】
電子機器２００に対して第２の電力を供給する処理を終了する場合、給電装置１００は、電子機器２００に第２の電力の供給を終了することを通知するための第５のコマンドを近接無線通信によって電子機器２００に送信する。その後、給電装置１００は、第１の電力及び第２の電力を電子機器２００に供給しないようにする。
【０１１０】
電子機器２００に対して第２の電力を供給する処理を終了しない場合、給電装置１００は、電子機器２００に供給する第２の電力を設定し、電子機器２００に供給する電力を第１の電力から第２の電力に切り替えて、第２の電力を再び電子機器２００に供給する。このとき、給電装置１００は、第４のコマンドに対応する応答データに応じて、第２の電力の値を設定する。その後、給電装置１００は、第２の電力の供給を終了するまでの間、給電装置１００から電子機器２００に第２の電力を供給する処理と、第４のコマンドを用いて電子機器２００に対して供給する第２の電力を制御する処理とを、繰り返し行う。そのため、給電装置１００は、第３のコマンドを電子機器２００に送信してから第５のコマンドを電子機器２００に送信するまでの間、第２の電力を電子機器２００に供給するための処理と、第１の電力を電子機器２００に供給するための処理とを交互に行う。
【０１１１】
なお、給電装置１００及び電子機器２００が磁界共振方式以外の方式に対応するものであってもよいものとする。
【０１１２】
例えば、実施例１において、給電装置１００は、電界共振方式によって電子機器２００に対して無線で電力を供給するものであってもよいものとする。この場合、電子機器２００は、電界共振方式によって給電装置１００から無線で電力を受電するものであってもよい。また、この場合、給電装置１００には、給電を行うための電極と、電子機器２００と共振を行うための共振手段とが設けられる。また、電子機器２００には、受電を行うための電極と、給電装置１００と共振を行うための共振手段とが設けられる。
【０１１３】
また、実施例１において、給電装置１００は、電界結合によって電子機器２００に対して無線で電力を供給するものであってもよいものとする。この場合、電子機器２００は、電界結合によって給電装置１００から無線で電力を受電するものであってもよい。また、この場合も、給電装置１００には、給電を行うための電極が設けられ、電子機器２００には、受電を行うための電極が設けられる。
【０１１４】
また、給電装置１００は、電磁誘導によって電子機器２００に対して無線で電力を供給するものであってもよいものとする。この場合、電子機器２００は、電磁誘導によって給電装置１００から無線で電力を受電するものであってもよい。
【０１１５】
また、給電装置１００は、ＣＥＡ（Ｃｏｎｓｕｍｅｒ  Ｅｌｅｃｔｒｏｎｉｃｓ  Ａｓｓｏｃｉａｔｉｏｎ）によって規定されている規格に対応する装置であってもよい。また、電子機器２００は、ＣＥＡによって規定されている規格に対応する装置であってもよいものとする。給電装置１００及び電子機器２００は、「ＣＥＡ−２０４２．４」、「ＣＥＡ−２０４２．５」、「ＣＥＡ−２０４２．５ａ」及び「ＣＥＡ−２０４２．５ｂ」のいずれか一つに対応するものであってもよい。
【０１１６】
また、給電装置１００は、Ｑｉ規格に対応する装置であり、電子機器２００は、Ｑｉ規格に対応する装置であってもよいものとする。
【０１１７】
また、実施例１において、給電装置１００は、電子機器２００に対して無線で電力を供給し、電子機器２００は、給電装置１００から無線で電力を受電するものとした。しかし、「無線」を「非接触」や「無接点」と言い換えてもよいものとする。
【０１１８】
次に、通信装置３００について説明を行う。通信装置３００は、電子機器２００と近接無線通信を行うためのアンテナと、通信装置３００のアンテナの共振周波数を制御するための共振回路と、電子機器２００と無線通信を行うための通信部とを有する。さらに、通信装置３００は、電子機器２００と近接無線通信を行うための近接無線通信部と、アンテナを介して近接無線通信を行うために電子機器２００に供給する電力を生成するための電力生成部と、通信装置３００を制御するための制御部とを有するものとする。なお、通信装置３００は、電子機器２００と近接無線通信を行う場合、電子機器２００と近接無線通信を行うための周波数になるように、共振回路を用いて、通信装置３００のアンテナの周波数を制御する。なお、通信装置３００の通信部は、無線ＬＡＮ規格に応じて、電子機器２００と無線通信を行うものとする。
【０１１９】
なお、通信装置３００は、電子機器２００と近接無線通信を行う場合、近接無線通信を行うための電力を電子機器２００に供給し、通信装置３００のアンテナの周波数が１３．５６ＭＨｚになるように通信装置３００の共振回路を制御するものとする。
【０１２０】
以下、通信装置３００の動作について説明を行う。
【０１２１】
通信装置３００は、無線ＬＡＮ規格に対応する無線通信を行う場合、リーダ・ライタモード及び双方向通信モードの少なくとも一つとなり、無線ＬＡＮに対応する通信を開始するための認証を行う。このため、通信装置３００は、近接無線通信のための電力を電子機器２００に供給しながら、無線ＬＡＮに対応する通信を行うための認証データを取得するための第６のコマンドを電子機器２００に送信する。
【０１２２】
第６のコマンドに対応する応答データを通信装置３００が電子機器２００から取得しなかった場合、無線ＬＡＮに対応する通信を開始するための認証は完了しない。この場合、通信装置３００は、無線ＬＡＮ規格に対応する通信を開始するための認証が完了するまで、無線ＬＡＮ規格に応じて、映像データ、音声データ及びコマンドの送受信を行わないようにする。
【０１２３】
また、第６のコマンドに対応する応答データを通信装置３００が電子機器２００から取得した場合、無線ＬＡＮ規格に対応する通信を開始するための認証は完了する。この場合、通信装置３００は、無線ＬＡＮ規格に応じて、映像データ、音声データ及びコマンドのいずれか一つを電子機器２００に送信することができる。また、この場合、通信装置３００は、無線ＬＡＮ規格に応じて、電子機器２００から映像データ、音声データ及びコマンドのいずれか一つを受信することができる。
【０１２４】
（通信処理）
実施例１において、電子機器２００によって行われる通信処理について、図５のフローチャートを用いて説明する。
【０１２５】
図５の通信処理は、ＣＰＵ２０５がＲＯＭ２０６に格納されているコンピュータプログラムを実行することにより実現することができる。ＣＰＵ２０５は、電子機器２００の通信モードがカードエミュレーションモード、リーダ・ライタモード及び双方向通信モードのいずれか一つに設定された場合に、図５に示す通信処理を行うものとする。
【０１２６】
Ｓ５０１において、ＣＰＵ２０５は、電子機器２００の通信モードがリーダ・ライタモード及び双方向通信モードのいずれか一つであるか否かを判定する。ＣＰＵ２０５によって、電子機器２００の通信モードがリーダ・ライタモード及び双方向通信モードのいずれか一つであると判定された場合（Ｓ５０１のＹｅｓ）、本フローチャートはＳ５０１からＳ５０２に進む。ＣＰＵ２０５によって、電子機器２００の通信モードがリーダ・ライタモード及び双方向通信モードでないと判定された場合（Ｓ５０１のＮｏ）、本フローチャートはＳ５０１からＳ５１７に進む。
【０１２７】
Ｓ５０２において、ＣＰＵ２０５は、電池２１２から放電される電力が電源制御部２０９に供給されているか否かを判定する。ＣＰＵ２０５によって、電池２１２から放電される電力が電源制御部２０９に供給されていると判定された場合（Ｓ５０２でＹｅｓ）、本フローチャートは、Ｓ５０２からＳ５０４に進む。ＣＰＵ２０５によって、電池２１２から放電される電力が電源制御部２０９に供給されていないと判定された場合（Ｓ５０２でＮｏ）、本フローチャートは、Ｓ５０２からＳ５０３に進む。
【０１２８】
Ｓ５０３において、ＣＰＵ２０５は、電池２１２から放電される電力によってＣＰＵ２０５及び変復調回路２０４を動作させるために、ＦＥＴ２０９ｃがオンになるようにＦＥＴ２０９ｃのゲート電圧を制御する。ＣＰＵ２０５及び変復調回路２０４に電池２１２から放電される電力が供給された場合、本フローチャートは、Ｓ５０３からＳ５０４に進む。
【０１２９】
電子機器２００がリーダ・ライタモード及び双方向通信モードのいずれか一つである場合、変復調回路２０４は、電池２１２から供給される電力にデータを重畳させて、給電装置１００及び通信装置３００のいずれか一つにアンテナ２０１を介して送信する。この場合、ＣＰＵ２０５は、電池２１２の電源電圧と変復調回路２０４から出力されるデータが重畳された電力の電圧とに応じて、データが重畳された電力が変復調回路２０４から電源制御部２０９に供給されないようにするための処理を行うか否かを判定する。なお、データが重畳された電力が電源制御部２０９に供給されないようにするための処理を以下「所定の処理」と呼ぶ。なお、変復調回路２０４から出力されるデータが重畳された電力の電圧を「変復調回路２０４の出力電圧」と呼ぶ。
【０１３０】
そこで、Ｓ５０４において、ＣＰＵ２０５は、電池２１２の電源電圧が、変復調回路２０４の出力電圧よりも大きいか否かを判定する。
【０１３１】
なお、電池２１２の電源電圧は、電池２１２から電子機器２００に放電される電力の電圧である。また、電池２１２の電源電圧を示す情報は、電池２１２からＣＰＵ２０５に通知されるものであってもよく、充電制御部２１１が検出するものであってもよい。また、変復調回路２０４の出力電圧は、電流・電圧検出部２０８によって検出されてもよく、変復調回路２０４の出力を設定するためのレジスタ値から求めるものであってもよいものとする。
【０１３２】
ＣＰＵ２０５によって、電池２１２の電源電圧が変復調回路２０４の出力電圧よりも高いと判定された場合（Ｓ５０４でＹｅｓ）、本フローチャートは、Ｓ５０４からＳ５０８に進む。ＣＰＵ２０５によって、電池２１２の電源電圧が変復調回路２０４の出力電圧よりも高いと判定された場合（Ｓ５０４でＹｅｓ）、変復調回路２０４の出力電圧は、電源制御部２０９に供給されず、アンテナ２０１に供給される。この場合、電子機器２００は、アンテナ２０１を介して給電装置１００及び通信装置３００のいずれか一つにデータを送信することができる。
【０１３３】
ＣＰＵ２０５によって、電池２１２の電源電圧が変復調回路２０４の出力電圧よりも高くないと判定された場合（Ｓ５０４でＮｏ）、本フローチャートは、Ｓ５０４からＳ５０５に進む。ＣＰＵ２０５によって、電池２１２の電池電圧が変復調回路２０４の出力電圧よりも高くないと判定された場合（Ｓ５０４でＮｏ）、変復調回路２０４の出力電圧は、アンテナ２０１に供給されず、電源制御部２０９に供給される場合があった。この場合、電子機器２００は、アンテナ２０１を介して給電装置１００及び通信装置３００のいずれか一つにデータを送信することができない。電池２１２の電源電圧が変復調回路２０４の出力電圧よりも高くない場合（Ｓ５０４でＮｏ）、ＣＰＵ２０５は、所定の処理を行うと判定する。
【０１３４】
そこで、Ｓ５０５において、ＣＰＵ２０５は、電子機器２００の負荷に供給する電力を制限するように電源制御部２０９を制御する。
【０１３５】
この場合、例えば、ＣＰＵ２０５は、ＦＥＴ２０９ａをオフすることによって、電流・電圧検出部２０８とレギュレータ２１０ａとを接続しないようにする。この場合、電流・電圧検出部２０８に供給された電力は、電源制御部２０９からレギュレータ２１０ａ及びレギュレータ２１０ｃに供給されない。
【０１３６】
また、例えば、ＣＰＵ２０５は、ＦＥＴ２０９ｂをオフすることによって、電流・電圧検出部２０８とレギュレータ２１０ｂとを接続しないようにする。この場合、電流・電圧検出部２０８に供給された電力は、電源制御部２０９からレギュレータ２１０ｂに供給されない。
【０１３７】
また、例えば、ＣＰＵ２０５は、電流・電圧検出部２０８に供給された電力が、負荷の重い回路や消費電力の大きい回路に供給されないようにする。
【０１３８】
このように、電子機器２００の負荷に供給する電力を制限した場合、変復調回路２０４の出力電圧が電池２１２の電源電圧以上であっても、ＣＰＵ２０５は、変復調回路２０４から出力される電力を、電源制御回路２０９に供給しないようにすることができる。このことによって、電子機器２００は、変復調回路２０４から出力されるデータが重畳された電力が整流平滑回路２０３ではなく、アンテナ２０１に供給されるようにすることができる。
【０１３９】
ＣＰＵ２０５によって、電子機器２００の負荷に供給する電力が制限された場合、本フローチャートはＳ５０５からＳ５０６に進む。
【０１４０】
Ｓ５０６において、ＣＰＵ２０５は、変復調回路２０４の出力レベルを上げるか否かを判定する。
【０１４１】
変復調回路２０４の出力レベルが低い場合、変復調回路２０４から出力されるデータが重畳された電力の一部が低下してしまうと、給電装置１００及び通信装置３００のいずれか一つは、電子機器２００から送信されたデータを受信することができなくなる。しかし、変復調回路２０４の出力レベルが高い場合、変復調回路２０４から出力されるデータが重畳された電力の一部が低下したとしても、給電装置１００及び通信装置３００のいずれか一つは、電子機器２００から送信されたデータを受信できる場合がある。
【０１４２】
そこで、ＣＰＵ２０５は、電子機器２００の負荷に供給する電力の状態に応じて、変復調回路２０４の出力レベルを上げるか否かを判定する。
【０１４３】
ＣＰＵ２０５によって、負荷の重い回路や消費電力の大きい回路に電力供給がされていると判定された場合、ＣＰＵ２０５は、変復調回路２０４の出力レベルを上げると判定する。ＣＰＵ２０５によって、負荷の重い回路や消費電力の大きい回路に電力供給がされていないと判定された場合、ＣＰＵ２０５は、変復調回路２０４の出力レベルを上げないと判定する。
【０１４４】
ＣＰＵ２０５によって、変復調回路２０４の出力レベルを上げると判定された場合（Ｓ５０６のＹｅｓ）、本フローチャートは、Ｓ５０６からＳ５０７に進む。ＣＰＵ２０５によって、変復調回路２０４の出力レベルを上げないと判定された場合（Ｓ５０６のＮｏ）、本フローチャートは、Ｓ５０６からＳ５０８に進む。
【０１４５】
Ｓ５０７において、ＣＰＵ２０５は、変復調回路２０４の出力レベルを上げるために、変復調回路２０４に設定されているレジスタの値が現在値よりも高くなるように設定する。この場合、本フローチャートは、Ｓ５０７からＳ５０８に進む。
【０１４６】
Ｓ５０８において、ＣＰＵ２０５は、保護回路２２０をオフにするようにする。この場合、ＣＰＵ２０５は、ＦＥＴ２２０ａ、２２０ｂ、２２０ｃ及び２２０ｄをオフにするように、ＦＥＴ２２０ａのゲート電圧、ＦＥＴ２２０ｂのゲート電圧、ＦＥＴ２２０ｃのゲート電圧及びＦＥＴ２２０ｄのゲート電圧を制御する。この場合、整合回路２０２から供給される電流は、ＧＮＤに流れることなく変復調回路２０４に流れるようになる。この場合、本フローチャートはＳ５０８からＳ５０９に進む。
【０１４７】
Ｓ５０９において、ＣＰＵ２０５は、給電装置１００及び通信装置３００のいずれか一つにデータを送信する。この場合、ＣＰＵ２０５は、給電装置１００及び通信装置３００のいずれか一つに送信するデータをＡＳＫ変調に応じて、変調信号に変換するように変復調回路２０４を制御する。さらに、ＣＰＵ２０５は、変換された変調信号を電池２１２から供給される電力に重畳してアンテナ２０１を介して給電装置１００及び通信装置３００のいずれか一つに送信するように変復調回路２０４を制御する。この場合、本フローチャートはＳ５０９からＳ５１０に進む。なお、例えば、給電装置１００及び通信装置３００のいずれか一つに送信するデータとは、給電装置１００及び通信装置３００のいずれか一つがどのような装置であるかを問い合わせるためのコマンドである。
【０１４８】
Ｓ５１０において、ＣＰＵ２０５は、電子機器２００の通信モードが双方向通信モードであるか否かを判定する。ＣＰＵ２０５によって、電子機器２００の通信モードが双方向通信モードであると判定された場合（Ｓ５１０のＹｅｓ）、本フローチャートはＳ５１０からＳ５１１に進む。ＣＰＵ２０５によって、電子機器２００の通信モードが双方向通信モードでないと判定された場合（Ｓ５１０のＮｏ）、本フローチャートはＳ５１０からＳ５１６に進む。
【０１４９】
Ｓ５１１において、ＣＰＵ２０５は、Ｓ５０５において行われた電子機器２００の負荷に供給する電力の制限を解除する。ＣＰＵ２０５によって、Ｓ５０５の処理が解除された場合、本フローチャートはＳ５１１からＳ５１２に進む。なお、ＣＰＵ２０５によってＳ５０５の処理が行われていない場合、ＣＰＵ２０５は、Ｓ５１１の処理を省略するようにしてもよい。
【０１５０】
Ｓ５１２において、ＣＰＵ２０５は、アンテナ２０１を介して給電装置１００及び通信装置３００のいずれか一つからデータを受信する処理を行うように変復調回路２０４を制御する。ＣＰＵ２０５は、変復調回路２０４から供給されたデータの解析結果に応じて、電子機器２００を制御する。この場合、本フローチャーはＳ５１２からＳ５１３に進む。
【０１５１】
Ｓ５１３において、ＣＰＵ２０５は、電子機器２００の通信モードが変更されたか否かを判定する。ＣＰＵ２０５によって、電子機器２００の通信モードが変更されたと判定された場合（Ｓ５１３でＹｅｓ）、本フローチャートは、Ｓ５１３からＳ５０１に戻る。ＣＰＵ２０５によって、電子機器２００の通信モードが変更されていないと判定された場合（Ｓ５１３でＮｏ）、本フローチャートは、Ｓ５１３からＳ５１４に進む。
【０１５２】
Ｓ５１４において、ＣＰＵ２０５は、近接無線通信を継続して行うか否かを判定する。ＣＰＵ２０５によって、近接無線通信を継続して行うと判定された場合（Ｓ５１４でＹｅｓ）、本フローチャートは、Ｓ５１４からＳ５０８に戻る。ＣＰＵ２０５によって、近接無線通信を継続して行わないと判定された場合（Ｓ５１４でＮｏ）、本フローチャートは、Ｓ５１４からＳ５１５に進む。
【０１５３】
近接無線通信を終了する場合（Ｓ５１４でＮｏ）、電子機器２００は、給電装置１００から第２の電力が供給される可能性がある。この場合に、給電装置１００からアンテナ２０１を介して受電された電力から変復調回路２０４を保護する必要がある。そこで、Ｓ５１５において、ＣＰＵ２０５は、保護回路２２０をオンにするようにする。この場合、ＣＰＵ２０５は、ＦＥＴ２２０ａ、２２０ｂ、２２０ｃ及び２２０ｄをオンにするように、ＦＥＴ２２０ａのゲート電圧、ＦＥＴ２２０ｂのゲート電圧、ＦＥＴ２２０ｃのゲート電圧及びＦＥＴ２２０ｄのゲート電圧を制御する。この場合、整合回路２０２から供給される電流は、ＧＮＤに流れるようになり、変復調回路２０４に流れないようになる。このため、電子機器２００は、アンテナ２０１を介して受電された電力から変復調回路２０４を保護することができる。この場合、本フローチャートは終了する。
【０１５４】
Ｓ５１６において、ＣＰＵ２０５は、Ｓ５０９において、給電装置１００及び通信装置３００のいずれか一つに送信したコマンドに対応する応答データを受信する。この場合、ＣＰＵ２０５は、アンテナ２０１に流れる電流を整合回路２０２によって検出し、検出した電流に応じて、応答データを受信するように変復調回路２０４を制御する。この場合、変復調回路２０４から受信された応答データはＣＰＵ２０５に供給され、ＣＰＵ２０５は、変復調回路２０４から供給された応答データに応じて、電子機器２００を制御する。この場合、本フローチャートは、Ｓ５１６からＳ５１３に進む。
【０１５５】
Ｓ５１７において、ＣＰＵ２０５は、電子機器２００の通信モードがカードエミュレーションモードであるか否かを判定する。ＣＰＵ２０５によって、電子機器２００の通信モードがカードエミュレーションモードであると判定された場合（Ｓ５１７のＹｅｓ）、本フローチャートはＳ５１７からＳ５１８に進む。ＣＰＵ２０５によって、電子機器２００の通信モードがカードエミュレーションモードでないと判定された場合（Ｓ５１７のＮｏ）、本フローチャートはＳ５１７からＳ５２２に進む。
【０１５６】
Ｓ５１８において、ＣＰＵ２０５は、Ｓ５０８と同様に、保護回路２２０をオフにする。この場合、本フローチャートはＳ５１８からＳ５１９に進む。
【０１５７】
Ｓ５１９において、ＣＰＵ２０５は、後述のコマンド受信処理を行う。ＣＰＵ２０５によってコマンド受信処理が行われた場合、本フローチャートは、Ｓ５１９からＳ５２０に進む。
【０１５８】
Ｓ５２０において、ＣＰＵ２０５は、電子機器２００の通信モードが変更されたか否かを判定する。ＣＰＵ２０５によって、電子機器２００の通信モードが変更されたと判定された場合（Ｓ５２０でＹｅｓ）、本フローチャートは、Ｓ５２０からＳ５０１に戻る。ＣＰＵ２０５によって、電子機器２００の通信モードが変更されていないと判定された場合（Ｓ５２０でＮｏ）、本フローチャートは、Ｓ５２０からＳ５２１に進む。
【０１５９】
Ｓ５２１において、ＣＰＵ２０５は、近接無線通信を継続して行うか否かを判定する。ＣＰＵ２０５によって、近接無線通信を継続して行うと判定された場合（Ｓ５２１でＹｅｓ）、本フローチャートは、Ｓ５２１からＳ５１８に戻る。ＣＰＵ２０５によって、近接無線通信を継続して行わないと判定された場合（Ｓ５２１でＮｏ）、本フローチャートは、Ｓ５２１からＳ５２２に進む。
【０１６０】
近接無線通信を終了する場合（Ｓ５２１でＮｏ）、電子機器２００は、給電装置１００から第２の電力が供給される可能性がある。この場合に、給電装置１００からアンテナ２０１を介して受電された電力から変復調回路２０４を保護する必要がある。そこで、Ｓ５２２において、ＣＰＵ２０５は、Ｓ５１５と同様に、保護回路２２０をオンにする。この場合、整合回路２０２から供給される電流は、ＧＮＤに流れるようになり、変復調回路２０４に流れないようになる。このため、電子機器２００は、アンテナ２０１を介して受電された電力から変復調回路２０４を保護することができる。この場合、本フローチャートは終了する。
【０１６１】
（コマンド受信処理）
実施例１において、図５の通信処理のＳ５１９において、電子機器２００によって行われるコマンド受信処理について、図６のフローチャートを用いて説明する。コマンド受信処理は、ＣＰＵ２０５がＲＯＭ２０６に格納されているコンピュータプログラムを実行することにより実現することができる。なお、図６のコマンド受信処理は、電子機器２００の通信モードがカードエミュレーションモードに設定された場合であれば、図５の通信処理のＳ５１９以外のタイミングにおいて行われても良いものとする。また、図６のコマンド受信処理は、ＣＰＵ２０５によって定期的に行われてもよいものとする。
【０１６２】
Ｓ６０１において、ＣＰＵ２０５は、変復調回路２０４が給電装置１００及び通信装置３００のいずれか一つからアンテナ２０１を介してコマンドを受信したか否かを判定する。ＣＰＵ２０５によって、変復調回路２０４がコマンドを受信していないと判定された場合（Ｓ６０１でＮｏ）、本フローチャートは終了する。ＣＰＵ２０５によって、変復調回路２０４がコマンドを受信したと判定された場合（Ｓ６０１でＹｅｓ）、本フローチャートは、Ｓ６０１からＳ６０２に進む。
【０１６３】
Ｓ６０２において、ＣＰＵ２０５は、変復調回路２０４から供給された解析結果から変復調回路２０４が受信したコマンドが第１のコマンドであるか否かを判定する。ＣＰＵ２０５によって、変復調回路２０４が受信したコマンドが第１のコマンドでないと判定された場合（Ｓ６０２でＮｏ）、本フローチャートは、Ｓ６０２からＳ６０４に進む。ＣＰＵ２０５によって、変復調回路２０４が受信したコマンドが第１のコマンドであると判定された場合（Ｓ６０２でＹｅｓ）、本フローチャートは、Ｓ６０２からＳ６０３に進む。
【０１６４】
Ｓ６０３において、ＣＰＵ２０５は、第１のコマンドに対する応答データとして電子機器２００の識別データを給電装置１００に送信するための負荷変調を行うように変復調回路２０４を制御する。なお、識別データは、ＣＰＵ２０５によって、ＲＯＭ２０６から読み出された情報である。この場合、本フローチャートは終了する。
【０１６５】
Ｓ６０４において、ＣＰＵ２０５は、変復調回路２０４から供給された解析結果から変復調回路２０４が受信したコマンドが第２のコマンドであるか否かを判定する。ＣＰＵ２０５によって、変復調回路２０４が受信したコマンドが第２のコマンドでないと判定された場合（Ｓ６０４でＮｏ）、本フローチャートは、Ｓ６０４からＳ６０６に進む。ＣＰＵ２０５によって、変復調回路２０４が受信したコマンドが第２のコマンドであると判定された場合（Ｓ６０４でＹｅｓ）、本フローチャートは、Ｓ６０４からＳ６０５に進む。
【０１６６】
Ｓ６０５において、ＣＰＵ２０５は、第２のコマンドに対する応答データとしてデバイスデータを給電装置１００に送信するための負荷変調を行うように変復調回路２０４を制御する。なお、デバイスデータは、ＣＰＵ２０５によって、ＲＯＭ２０６から読み出された情報である。この場合、本フローチャートは終了する。
【０１６７】
Ｓ６０６において、ＣＰＵ２０５は、変復調回路２０４から供給された解析結果から変復調回路２０４が受信したコマンドが第３のコマンドであるか否かを判定する。ＣＰＵ２０５によって、変復調回路２０４が受信したコマンドが第３のコマンドでないと判定された場合（Ｓ６０６でＮｏ）、本フローチャートはＳ６０６からＳ６０９に進む。ＣＰＵ２０５によって、変復調回路２０４が受信したコマンドが第３のコマンドであると判定された場合（Ｓ６０６でＹｅｓ）、本フローチャートは、Ｓ６０６からＳ６０７に進む。
【０１６８】
Ｓ６０７において、ＣＰＵ２０５は、電池２１２の充電を開始する。この場合、ＣＰＵ２０５は、ＦＥＴ２０９ａをオンにするようにＦＥＴ２０９ａのゲート電圧を制御し、充電制御部２１１に電池２１２の充電を開始するように制御する。このことによって、給電装置１００から第２の電力が電子機器２００に供給された場合、電子機器２００がアンテナ２０１を介して受電した電力は、整合回路２０２及び整流平滑回路２０３から電流・電圧検出部２０８に供給される。電流・電圧検出部２０８は、整合回路２０２及び整流平滑回路２０３から供給された電力をＦＥＴ２０９ａを介して、レギュレータ２１０ａ、充電制御部２１１及び電池２１２に供給する。電池２１２の充電が開始された場合、本フローチャートは、Ｓ６０７からＳ６０８に進む。
【０１６９】
Ｓ６０８において、ＣＰＵ２０５は、第３のコマンドに対する応答データを給電装置１００に送信するための負荷変調を行うように変復調回路２０４を制御する。第３のコマンドに対する応答データが送信された場合、ＣＰＵ２０５は、Ｓ５１５と同様に、保護回路２２０をオンにすることによって、給電装置１００から供給される第２の電力から変復調回路２０４を保護するように制御する。これによって、給電装置１００から電子機器２００に第２の電力が供給されたとしても、整合回路２０２から変復調回路２０４に供給される電流をＧＮＤに流すことができる。このため、給電装置１００から電子機器２００に第２の電力が供給されたとしても、変復調回路２０４は、保護回路２２０によって保護される。この場合、本フローチャートは終了する。
【０１７０】
Ｓ６０９において、ＣＰＵ２０５は、変復調回路２０４から供給された解析結果から変復調回路２０４が受信したコマンドが第４のコマンドであるか否かを判定する。ＣＰＵ２０５によって、変復調回路２０４が受信したコマンドが第４のコマンドでないと判定された場合（Ｓ６０９でＮｏ）、本フローチャートはＳ６０９からＳ６１２に進む。ＣＰＵ２０５によって、変復調回路２０４が受信したコマンドが第４のコマンドであると判定された場合（Ｓ６０９でＹｅｓ）、本フローチャートはＳ６０９からＳ６１０に進む。
【０１７１】
Ｓ６１０において、ＣＰＵ２０５は、電子機器２００のステータスデータを検出する。なお、例えば、ＣＰＵ２０５は、ステータスデータとして、電池２１２の充電情報を検出するように充電制御部２１１を制御する。検出されたステータスデータはＲＡＭ２０７に格納される。電子機器２００のステータスデータが検出された場合、本フローチャートは、Ｓ６１０からＳ６１１に進む。
【０１７２】
Ｓ６１１において、ＣＰＵ２０５は、第４のコマンドに対する応答データとしてステータスデータを給電装置１００に送信するための負荷変調を行うように変復調回路２０４を制御する。なお、ステータスデータには、Ｓ６１０において検出されたデータである。また、ステータスデータには、電子機器２００の動作を示す電子機器２００の動作情報や電子機器２００の消費電力を示す電子機器２００の消費電力情報等が含まれていてもよい。この場合、本フローチャートは終了する。
【０１７３】
Ｓ６１２において、ＣＰＵ２０５は、変復調回路２０４から供給された解析結果から変復調回路２０４が受信したコマンドが第５のコマンドであるか否かを判定する。ＣＰＵ２０５によって、変復調回路２０４が受信したコマンドが第５のコマンドでないと判定された場合（Ｓ６１２でＮｏ）、本フローチャートは、Ｓ６１２からＳ６１５に進む。ＣＰＵ２０５によって、変復調回路２０４が受信したコマンドが第５のコマンドであると判定された場合（Ｓ６１２でＹｅｓ）、本フローチャートは、Ｓ６１２からＳ６１３に進む。
【０１７４】
Ｓ６１３において、ＣＰＵ２０５は、電池２１２の充電を停止する。この場合、ＣＰＵ２０５は、充電制御部２１１に電池２１２の充電を停止するように制御する。なお、この場合、ＣＰＵ２０５は、ＦＥＴ２０９ａをオフにするようにＦＥＴ２０９ａのゲート電圧を制御してもよいものとする。電池２１２の充電が停止された場合、本フローチャートは、Ｓ６１３からＳ６１４に進む。
【０１７５】
Ｓ６１４において、ＣＰＵ２０５は、第５のコマンドに対する応答データを給電装置１００に送信するための負荷変調を行うように変復調回路２０４を制御する。この場合、本フローチャートは終了する。
【０１７６】
Ｓ６１５において、ＣＰＵ２０５は、変復調回路２０４から供給された解析結果から変復調回路２０４が受信したコマンドが第６のコマンドであるか否かを判定する。ＣＰＵ２０５によって、変復調回路２０４が受信したコマンドが第６のコマンドでないと判定された場合（Ｓ６１５でＮｏ）、本フローチャートは、終了する。ＣＰＵ２０５によって、変復調回路２０４が受信したコマンドが第６のコマンドであると判定された場合（Ｓ６１５でＹｅｓ）、本フローチャートは、Ｓ６１５からＳ６１６に進む。
【０１７７】
Ｓ６１６において、ＣＰＵ２０５は、第６のコマンドに対する応答データとして、認証データを給電装置１００に送信するための負荷変調を行うように変復調回路２０４を制御する。なお、認証データは、ＣＰＵ２０５によって、ＲＯＭ２０６から読み出された情報である。この場合、本フローチャートは終了する。
【０１７８】
このように、実施例１に係る電子機器２００は、近接無線通信を行うための変復調回路２０４を保護するための保護回路２２０を有し、保護回路２２０を制御するようにした。
【０１７９】
電子機器２００によって近接無線通信が行われる場合、電子機器２００は、保護回路２２０をオフにするようにし、電子機器２００によって近接無線通信が行われていない場合、電子機器２００は、保護回路２２０をオンにするようにした。これにより、電子機器２００は、給電装置１００から電子機器２００に無線給電が行われる場合であっても、給電装置１００から受電した電力から変復調回路２０４を保護することができる。
【０１８０】
したがって、実施例１に係る電子機器２００は、給電装置１００から電子機器２００に無線給電が行われる場合であっても、適切な無線通信を行えるようにすることができる。
【０１８１】
また、実施例１に係る電子機器２００は、リーダ・ライタモード及び双方向通信モードのいずれか一つである場合、近接無線通信によりデータを送信するとき、近接無線通信のための電力が整流平滑回路２０３に供給されないようにすることができる。また、この場合、電子機器２００は、変復調回路２０４の出力レベルを制御することによって、電子機器２００から外部に出力する近接無線通信のための電力を制御することができる。
【０１８２】
これにより、電子機器２００は、給電装置１００及び通信装置３００のいずれか一つが近接無線通信によって正常に電子機器２００からデータの受信を行えるようにすることができる。
【０１８３】
したがって、実施例１に係る電子機器２００は、外部装置と適切な無線通信を行えるようにすることができる。
【０１８４】
［実施例２］
実施例２では、実施例１と共通する部分については、その説明を省略し、実施例１と異なる部分について説明する。
【０１８５】
実施例２における電子機器２００は、図７に示す保護回路２２０を有する。
【０１８６】
実施例２における電流・電圧検出部２０８は、ＡＣ検波回路２０８ａ及び電圧検出回路２０８ｂを有する。
【０１８７】
ＡＣ検波回路２０８ａは、例えば、ダイオードを含む検波回路を用いるものとする。ＡＣ検波回路２０８ａとコンデンサ２０２ａとが接続され、かつ、ＡＣ検波回路２０８ａとコンデンサ２０２ｂとが接続される。ＡＣ検波回路２０８ａは、アンテナ２０１を介して給電装置１００から整合回路２０２に供給される電力の交流電圧を検波する。ＡＣ検波回路２０８ａによって検波された電圧信号は、電圧検出回路２０８ｂに供給される。電圧検出回路２０８ｂは、ＡＣ検波回路２０８ａから供給される電圧信号に応じて、給電装置１００から整合回路２０２に供給される電力の電圧が所定の電圧以上であるかを検出する。さらに、電圧検出回路２０８ｂは、ＦＥＴ２２０ａのゲート電圧、ＦＥＴ２２０ｂのゲート電圧、ＦＥＴ２２０ｃのゲート電圧及びＦＥＴ２２０ｄのゲート電圧を制御することができる。
【０１８８】
給電装置１００から整合回路２０２に供給される電力の電圧が所定の電圧以上でない場合、電圧検出回路２０８ｂは、ＦＥＴ２２０ａ、２２０ｂ、２２０ｃ及び２２０ｄをオンにしないように制御する。この場合、整合回路２０２から変復調回路２０４に供給される電流は、ＦＥＴ２２０ａ、２２０ｂ、２２０ｃ及び２２０ｄの少なくとも一つを介してＧＮＤに流れない。
【０１８９】
また、給電装置１００から整合回路２０２に供給される電力の電圧が所定の電圧以上である場合、電圧検出回路２０８ｂは、ＦＥＴ２２０ａ、２２０ｂ、２２０ｃ及び２２０ｄをオンにするように制御する。この場合、整合回路２０２から変復調回路２０４に供給される電流は、ＧＮＤに流れるようになる。この場合、電圧検出回路２０８ｂは、整合回路２０２から供給される電流が通信ピンＲＸＮ２０４ａ、ＲＸＰ２０４ｂ、ＴＸＮ２０４ｃ及びＴＸＰ２０４ｄに流れないようにすることができる。このため、給電装置１００からアンテナ２０１を介して供給される電力の電圧が所定の電圧以上である場合、電圧検出回路２０８ｂは、保護回路２２０を制御することによって、変復調回路２０４を保護することができる。したがって、電圧検出回路２０８は、給電装置１００から受電される電力に応じて、変復調回路２０４を給電装置１００から供給される電力から保護するように制御することができる。
【０１９０】
なお、実施例２における電子機器２００によって、図５の通信処理及び図６のコマンド受信処理が行われる場合、ＣＰＵ２０５によって行われる保護回路２２０の制御は、ＡＣ検波回路２０８ａ及び電圧検出回路２０８ｂによって自動的に行われる。
【０１９１】
なお、ＣＰＵ２０５は、電圧検出回路２０８ｂの閾値となる所定の電圧を設定するものとする。この場合、ＣＰＵ２０５は、第１の電力よりも大きい電力が給電装置１００から供給されるときに保護回路をオンにして変復調回路２０４を保護するように、所定の電圧の値を設定する。これによって、電圧検出回路２０８ｂは、第２の電力が給電装置１００から電子機器２００に供給される場合は、保護回路２２０をオンにすることによって、整合回路２０２から変復調回路２０４に電流が供給されないようにする。また、電圧検出回路２０８ｂは、第１の電力が給電装置１００から電子機器２００に供給される場合は、保護回路２２０をオフにすることによって、整合回路２０２から変復調回路２０４に電流が供給されるようにする。
【０１９２】
このように実施例２に係る電子機器２００は、給電装置１００から受電される電力の大きさに応じて、変復調回路２０４を給電装置１００から受電された電力から保護するように制御することができる。
【０１９３】
なお、実施例２に係る電子機器２００は、保護回路２２０の構成や保護回路２２０に関する処理以外については、実施例１と共通する構成を有し、実施例１と共通する処理を行う。このため、実施例２に係る電子機器２００は、実施例１と同様の効果や利点を得ることができる。
【０１９４】
［実施例３］
実施例１及び２において、電子機器２００が給電装置１００から電力を受電するためのアンテナと近接無線通信を行うためのアンテナとを、アンテナ２０１を用いて兼用するようにしていた。
【０１９５】
しかし、実施例３に係る電子機器２００は、アンテナ２０１の代わりに、受電アンテナ２２１と、近接無線通信アンテナ２２２とを有するものとする。実施例３に係る電子機器２００は、整合回路２２３をさらに有するものとする。また、実施例３の係る電子機器２００において、整合回路２０２と変復調回路２０４とは接続されないが、整合回路２２３と変復調回路２０４とは接続されるものとする。
【０１９６】
受電アンテナ２２１は、給電装置１００から無線給電により供給される電力を受電するためのアンテナである。受電アンテナ２２１は、例えば、ループアンテナ、ヘリカルアンテナやメアンダラインアンテナ等である。給電装置１００から供給される電力は、受電アンテナ２２１から整合回路２０２、整流平滑回路２０３、電流・電圧検出部２０８を介して電源制御部２０９に供給される。
【０１９７】
近接無線通信アンテナ２２２は、給電装置１００及び通信装置３００のいずれか一つと近接無線通信を行うために用いられるアンテナである。アンテナ２２１は、例えば、ループアンテナである。
【０１９８】
電子機器２００は、近接無線通信アンテナ２２２を介して給電装置１００及び通信装置３００のいずれか一つと近接無線通信を行う。
【０１９９】
整合回路２２３は、近接無線通信アンテナ２２２を介して、給電装置１００及び通信装置３００のいずれか一つとＮＦＣ規格による近接無線通信を行うために近接無線通信アンテナ２２２の周波数を制御するための共振回路である。
【０２００】
なお、電子機器２００が近接無線通信を給電装置１００及び通信装置３００のいずれか一つと行う場合、ＣＰＵ２０５は、近接無線通信アンテナ２２２の周波数が１３．５６ＭＨｚになるように整合回路２２３を制御する。
【０２０１】
なお、実施例３に係る整合回路２０２は、受電アンテナ２２１の周波数を制御するための共振回路である。なお、実施例３に係る整合回路２０２は、ＮＦＣ規格に対応する近接無線通信を行わないものであってもよい。
【０２０２】
電子機器２００が給電装置１００から供給される電力を受電アンテナ２２１を介して受電する場合、ＣＰＵ２０５は、受電アンテナ２２１の周波数が、給電装置１００の給電アンテナの共振周波数と一致するように整合回路２０２を制御する。なお、この場合、ＣＰＵ２０５は、受電アンテナ２２１の周波数が、近接無線通信アンテナ２２２の周波数と異なるように整合回路２０２を制御してもよい。また、この場合、ＣＰＵ２０５は、受電アンテナ２２１の周波数が、近接無線通信アンテナ２２２の周波数と一致するように整合回路２０２を制御してもよい。
【０２０３】
実施例３に係る電子機器２００は、受電アンテナ２２１を介して給電装置１００及び通信装置３００のいずれか一つと近接無線通信を行わないものとする。
【０２０４】
変復調回路２０４は、ＮＦＣ規格に応じて、給電装置１００及び通信装置３００のいずれか一つと近接無線通信アンテナ２２２を介して近接無線通信を行う。
【０２０５】
実施例３に係る電子機器２００は、近接無線通信アンテナ２２２を介して給電装置１００及び通信装置３００のいずれか一つにデータを送信する場合、近接無線通信アンテナ２２２からデータが重畳された電力が出力される。この場合、近接無線通信アンテナ２２２から出力される近接無線通信のための電力を受電アンテナ２２１が受電してしまう場合がある。このため、給電装置１００及び通信装置３００のいずれか一つは、電子機器２００から近接無線通信によって送信されるデータを正常に受信できない可能性がある。
【０２０６】
このような状況を防ぐため、実施例３に係る電子機器２００は、実施例１と同様に図５の通信処理を行う。このことによって、実施例３に係る電子機器２００は、近接無線通信アンテナ２２２から出力される近接無線通信のための電力を受電アンテナ２２１に受電させないようにすることができる。
【０２０７】
また、実施例３に係る電子機器２００は、給電装置１００から受電アンテナ２２１を介して電力を受電する場合、給電装置１００から電子機器２００に供給される電力を近接無線通信アンテナ２２２が受電してしまう場合がある。このため、給電装置１００から供給される電力が近接無線通信アンテナ２２２を介して変復調回路２０４に供給されてしまう可能性がある。
【０２０８】
このような状況を防ぐため、実施例３に係る電子機器２００は、実施例１と同様に図５の通信処理を行う。このことによって、実施例３に係る電子機器２００は、給電装置１００から電子機器２００に無線給電が行われる場合であっても、給電装置１００から供給される電力から変復調回路２０４を保護することができる。
【０２０９】
なお、実施例３に係る電子機器２００は、受電アンテナ２２１及び近接無線通信アンテナ２２２の構成や整合回路２２３に関する処理以外については、実施例１と共通する構成を有し、実施例１と共通する処理を行う。このため、実施例３に係る電子機器２００は、実施例１と同様の効果や利点を得ることができる。
【０２１０】
また、実施例３に係る電子機器２００の保護回路２２０は、実施例１における保護回路２２０と同様の構成であってもよく、実施例２における保護回路２２０と同様の構成であってもよい。そのため、実施例３に係る電子機器２００の保護回路２２０が、実施例１に係る電子機器２００の保護回路２２０と共通する構成を有する場合、実施例３に係る電子機器２００は、実施例１と同様の効果や利点を得ることができる。また、実施例３に係る電子機器２００の保護回路２２０が、実施例２に係る電子機器２００の保護回路２２０と共通する構成を有する場合、実施例３に係る電子機器２００は、実施例２と同様の効果や利点を得ることができる。
【０２１１】
実施例１、２及び３において、電子機器２００は、ＮＦＣ規格に応じて、給電装置１００及び通信装置３００のいずれか一つと近接無線通信を行うものとして説明を行った。しかし、これに限定されないものとする。
【０２１２】
例えば、電子機器２００は、ＩＳＯ／ＩＥＣ１８０９２規格に応じて、給電装置１００及び通信装置３００のいずれか一つと近接無線通信を行ってもよいものとする。電子機器２００は、ＩＳＯ／ＩＥＣ１４４４３規格に応じて、給電装置１００及び通信装置３００のいずれか一つと近接無線通信を行ってもよいものとする。
【０２１３】
また、電子機器２００は、ＲＦＩＤ（Ｒａｄｉｏ  Ｆｒｅｑｕｅｎｃｙ  ＩＤｅｎｔｉｆｉｃａｔｉｏｎ）に対応する方式に応じて、給電装置１００及び通信装置３００のいずれか一つと近接無線通信を行ってもよいものとする。
【０２１４】
また、電子機器２００は、ＭＩＦＡＲＥ（登録商標）に対応する方式に応じて、給電装置１００及び通信装置３００のいずれか一つと近接無線通信を行ってもよいものとする。
【０２１５】
また、電子機器２００は、ＦｅｌｉＣａ（登録商標）に対応する方式に応じて、給電装置１００及び通信装置３００のいずれか一つと近接無線通信を行ってもよいものとする。
【０２１６】
また、電子機器２００は、ＴｒａｎｓｆｅｒＪｅｔに対応する規格に応じて、給電装置１００及び通信装置３００のいずれか一つと近接無線通信を行ってもよいものとする。なお、電子機器２００がＴｒａｎｓｆｅｒＪｅｔに対応する規格に応じて、近接無線通信を行う場合、近接無線通信を行うための周波数は、１３．５６ＭＨｚ以外の周波数であってもよいものとする。
【０２１７】
また、実施例１、２及び３における「近接無線通信」は、「近距離通信」や「無線通信」と言い換えてもよいものとする。
【０２１８】
（他の実施例）
本発明に係る電子機器２００は、実施例１、２及び３で説明した電子機器２００に限定されるものではない。例えば、本発明に係る電子機器２００は、複数の装置から構成されるシステムにより実現することも可能である。また、本発明に係る給電装置１００及び通信装置３００は、実施例１、２及び３で説明した給電装置１００及び通信装置３００に限定されるものではない。例えば、本発明に係る給電装置１００及び通信装置３００は、複数の装置から構成されるシステムにより実現することも可能である。
【０２１９】
また、実施例１、２及び３で説明した様々な処理及び機能は、コンピュータプログラムにより実現することも可能である。この場合、本発明に係るコンピュータプログラムは、コンピュータ（ＣＰＵ等を含む）で実行可能であり、実施例１、２及び３で説明した様々な機能を実現することになる。
【０２２０】
本発明に係るコンピュータプログラムは、コンピュータ上で稼動しているＯＳ（Ｏｐｅｒａｔｉｎｇ  Ｓｙｓｔｅｍ）などを利用して、実施例１、２及び３で説明した様々な処理及び機能を実現してもよいことは言うまでもない。
【０２２１】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【０２２２】
１００  給電装置
２００  電子機器
３００  通信装置
【図１】
0006045141.tif 000002
【図２】
0006045141.tif 000003
【図３】
0006045141.tif 000004
【図４】
0006045141.tif 000005
【図５】
0006045141.tif 000006
【図６】
0006045141.tif 000007
【図７】
0006045141.tif 000008
【図８】
0006045141.tif 000009